(57)【要約】【課題】  本発明は、多様な形状の商品の包装袋や結束テープのカットに対応でき、思った場所を思った方向に切れ、必要なときいつでも使えるカッターを得るにある。【解決手段】  食器棚などの固定物に取り付ける手段を持ったベースと、このベースに取り付けられた、刃面が垂直面に対して傾斜して構成されている刃物とで包装袋開封用カッターを構成している。【選択図】  図１
2005231733.tif 000002
【特許請求の範囲】
【請求項１】
食器棚などの固定物に取り付ける手段を持ったベースと、このベースに取り付けられた、刃面が垂直面に対して傾斜して構成されている刃物とからなることを特徴とする包装袋開封用カッター。
【請求項２】
食器棚などの固定物に取り付ける手段を持ったベースと、このベースに取り付けられた、刃面が垂直面に対して傾斜して構成されている刃物と、上端に載荷部を持ち、通常は前記刃物の刃面を覆い、開封作業の際は載荷部に載せた包装袋を引き下ろすと共に押し下げられ、刃面を露出する安全カバーと、開封作業が終わり包装袋が無くなると押し下げられた前記安全カバーを上方に引き上げ、常時刃物の刃面を覆うように動作する弾性体とからなることを特徴とする包装袋開封用カッター。
【請求項３】
食器棚などの固定物に取り付ける手段を持ったベースと、ガイド部を持ち、その下方に上端が開放され下端が閉じた溝を持つＵ文字の形状の保護板を取り付けることによりＪ文字の形状に構成され、ガイド部がほぼ垂直になるように前記ベースに取り付けられた刃物ホルダーと、この刃物ホルダーの溝の底部に刃面が前記ガイド部側に接する方が高くなるように垂直面に対して傾斜して取り付けられた刃物とからなることを特徴とする結束テープカット用カッター。
【発明の詳細な説明】
【発明の詳細な説明】
【産業上の利用分野】
【０００１】  本発明は、包装袋や結束テープをカットするためのカッターに関する。
【背景技術】
【０００２】  従来の包装袋等をカットするためのカッターには多様なタイプが考案されているが、それぞれ対応できる包装袋等の形状が制限されている。
【本発明が解決しようとする課題】
【０００３】  従来の包装袋等をカットするためのカッターは、
（１）それぞれ対応できる包装袋等の形状が制限されており、どんな形状の包装袋等にでも使えるわけではない。
（２）思った場所を思った方向に切れない場合が多い。
（３）置き場所を忘れ、いざという時に見つからず役に立たないことが多い。
【０００４】  本発明は以上のような従来の欠点に鑑み、多様な形状の包装袋等に対応でき、押しつけて引き下ろすという単純な動作で、思った場所を思った方向に切れ、必要なときいつでも使えるカッターを提供することを目的としている。
【課題を解決するための手段】
【０００５】  上記目的を達成するために、本発明は食器棚などの固定物に取り付ける手段を持ったベースと、このベースに取り付けられた、刃面が垂直面に対して傾斜して構成されている刃物とで包装袋開封用カッターを構成している。
【発明を実施するための最良の形態】
【０００６】  以下、図面に示す実施の形態により、本発明を詳細に説明する。
ただし、図面はもっぱら解説のためのものであって、本発明の技術的範囲を限定するものではない。【０００７】  図１ないし図３に示す本発明の実施の形態において、１は本発明のカッターである。このカッター１は、ベース２にフレーム４が垂直面に対して傾斜して組み合わされ、これに庇６、刃物Ａ５、刃物ホルダー１１が取り付けられている。
刃物Ａ５はフレーム４に取り付けられていることで刃面が垂直面に対して傾斜して取り付けられている。これは、包装袋を刃面に押し当て、引き下ろすという単純な動作で切れ目を付ける効果がある。
フレーム４にはスライド溝９が構成され上端に載荷部８を持った安全カバー７が摺動する。これをスプリング１０で絶えず押し上げて刃物Ａ５を覆っている。
フレーム４に取り付けられた刃物ホルダー１１はほぼ垂直なガイド部１２を持ち、その下方に上端が開放され下端が閉じた溝１４を持つＵ文字の形状の保護板１３を取り付けることによりＪ文字の形状に構成されている。
この刃物ホルダー１１の溝１４の底部には、刃物Ｂ１５が、刃面が前記ガイド部１２側に接する方が高くなるように、垂直面に対して傾斜して取り付けられている。
刃物Ｂ１５の刃面を垂直面に対して傾斜して取り付けるのは導入刃先角度を小さくし切れ味を増す効果がある。また、傾斜方向がガイド部１２側に接する方が高くなるようにすることにより、結束テープの内側に塗布されている粘着剤が刃物Ｂ１５の刃面にからまることを回避でき、スムーズにカットできる。
ベース２には両面テープ３が取り付けられており、食器棚などの固定物１６の垂直面に取り付けて使用する。【０００８】  菓子袋やりんごを入れた袋等の商品の包装袋１７をカットするときは、庇６に包装袋１７の切りたい部分を当て、下方１９に引き下ろす。すると安全カバー７の載荷部８に包装袋１７が乗り移り安全カバー７が一緒に引き下ろされ、刃物Ａ５の刃面を露出し、包装袋１７に切れ目を付ける。切れ目を左右に引けば、袋は容易に破れる。
安全カバー７は、包装袋１７が無くなるとスプリング１０でもとの位置に戻り自動的に刃物Ａ５を覆い、手が触れて怪我をすることを回避できる。【０００９】  ねぎなどの野菜商品の結束テープ１８をカットするときは、結束テープ１８の部分をガイド部１２に押し当て、下方１９に引き下ろす。すると結束テー１８が刃物Ｂ１５によりカットされる。【００１０】  カッター１を食器棚などの固定物１６に取り付ける手段は、ボンドによる接着や釘による固定も含む。
また、安全カバー７を上方に引き上げ常時刃物Ａ５の刃面を覆うように動作する弾性体には、ゴムやゼンマイ、空気ダンパー、スポンジ等が使用可能である。
なお、刃物Ａ５には本実施例では裂け目を付けるという目的と安全のためという理由で鋸刃を用いたが、平坦な通常の刃物でも使用可能である。
その他、安全カバー７を移動させる仕組みは、ピン支点方式を使用することも可能である。
【発明の効果】
【００１１】  本発明にあっては次に列挙する効果が得られる。
【００１２】（１）請求項１は、包装袋のカットしたい部分を刃物に当て、下方に引き下ろすという単純な作業で、容易に切れ目を付けることができる。
また、多様な形状の包装袋に対応でき、思った場所を思った方向に切れ、必要なときいつでも使える。
（２）請求項２も前記（１）と同様な効果が得られるとともに、刃物部分が常時覆われ手を触れることがなくなるので、安全な刃物を提供することができる。
（３）請求項３は、ねぎ等の結束テープの内側に塗布されている粘着剤が刃物Ｂ１５の刃面にからまることを回避でき、スムーズにカットできる。
また、結束テープ部分をガイド部に当て、下方に引き下ろすという単純な作業で、容易にカットすることができるほか、必要なときいつでも使える。
（４）請求項１ないし請求項３が一体になることにより、スーパー等で扱われている殆どの商品の包装袋の開封や結束テープのカットがこれ一本で間に合う。
【図面の簡単な説明】
【図１】は本発明の実施例を示す側面図。
【図２】は本発明の実施例を示す側面図。
【図３】は本発明の実施例を示す使用状態図。
【符号の説明】
１：カッター、２：ベース、３：両面テープ、４：フレーム、５：刃物Ａ、６：庇、７：安全カバー、８：載荷部、９：スライド溝、１０：スプリング、１１：刃物ホルダー、１２：ガイド部１３：保護板、１４：溝、１５：刃物Ｂ、１６：食器棚などの固定物、１７：商品の包装袋、１８：商品の結束テープ、１９：商品を動かす方向。
【図１】
2005231733.tif 000003
【図２】
2005231733.tif 000004
【図３】
2005231733.tif 000005